Podtech/llm-jp-corpus-v4-ja_patent huggingface dataset:
(57)【要約】      （修正有）【課題】魚焼きグリルでオーブン並の活用ができ熱源を効率よく上手に使える穴あきアルミホイルを提供する。【解決手段】アルミホイル本体に穴をあけて魚や肉、野菜等を包んだりサンドして魚焼きグリルをオーブン並に巾広く活用でき煮物をする時は落しブタとしても利用できる穴あきアルミホイル。【選択図】図１
0003104079.tif 000002
【実用新案登録請求の範囲】
【請求項１】
アルミホイル本体に穴をあけて魚や肉、野菜等を包んだりサンドして魚焼きグリルをオーブン並に巾広く活用でき煮物をする時は落しブタとしても利用できる穴あきアルミホイル
【考案の詳細な説明】
【技術分野】
【０００１】本考案はアルミホイル本体に穴をあけ熱効率をよくして料理する時利用するものである
〔背景技術〕【０００２】一般的には包むか仕切り用としてしか利用されていない
〔考案の開示〕
〔考案が解決しようとする課題〕【０００３】熱源を効率よく上手に使いアルミホイルの利用度を増す
〔課題を解決するための手段〕【０００４】アルミホイル本体に穴をあけて商品化する
〔考案の効果〕【０００５】料理が短時間でおいしくヘルシーに仕上る
〔考案を実施するための最良の形態〕【０００６】一般に販売されているアルミホイル幅２５センチ長さ８メートル厚さ１２ミクロンのものに７ミリ程度の穴を３センチ間隔にあけたものを好みの大きさに切り使用する
〔実施例〕【０００７】予熱ずみの魚焼きグリルのアミの上に穴あきアルミホイルをしき魚、肉、きのこ、野菜等をのせて焼く。火加減の調節には穴あきアルミホイルをかぶせる。揚げもの等温めなおすものはくるんで利用する。【０００８】煮物をする場合には落しブタに利用する
【図面の簡単な説明】
【０００９】〔図１〕
▲１▼市販のアルミホイル２５センチ幅厚さ１２ミクロン▲２▼７ミリの穴
〔図２〕
アルミホイル利用例▲１▼市販のアルミホイル▲２▼７ミリの穴▲３▼魚焼きグリルの焼アミ
【図１】
0003104079.tif 000003
【図２】
0003104079.tif 000004
(57)【要約】【要約書】【課題】  足湯に於いて、流れてくる湯を綺麗に保たせ何処の場所に入っても気持ち良く安心して入ることが出来るようにする。【解決手段】  防菌処理を行い匂付とし浸透性と濾過機能を有する素材２にて楕円或は長方形又は長靴状で底部を有する筒状とたケース本体１とすると共に、底部表面に滑り止めとしての凹凸を設けると共に、表面に凹凸を設けたシートとの組合せとしたものである。【選択図】        図１
0003104070.tif 000002
【実用新案登録請求の範囲】
【請求項１】
防菌処理を行い匂付とし浸透性と濾過機能を有する素材にて楕円或は長方形又は長靴状で底部を有する筒状としたケース本体としてなる温泉施設及び温泉利用による医療施設に於ける足湯用ケース。
【請求項２】
底部表面に滑り止めとしての凹凸を設けた請求項１記載の温泉施設及び温泉利用による医療施設に於ける足湯用ケース。
【請求項３】
表面に凹凸を設けたシートとの組合せとした請求項１記載の温泉施設及び温泉利用による医療施設に於ける足湯用ケース。
【考案の詳細な説明】
【技術分野】
【０００１】  本考案は温泉地に設けられた足湯に入るときに用いる温泉地に於ける足湯用ケースに関するものである。
【背景技術】
【０００２】  科学技術の発達に伴い、地下資源の採取のために地中に孔を掘削するボーリング技術の向上によって、地下流体の地層まで大深層の坑井を能率よく掘削するようになってきた。
このボーリング技術の利用にて各地で掘削して温泉地が出現し、古い時代から在る伝統的な温泉地と新しい温泉地を村や町の活性化に用いているため、観光の一環として温泉ブームを起こしている。
そして日本で温泉と言えば全身入浴が一般的であるが、足を暖める温湯効果や観光で温泉に入る時間の無い場合更に破疲れている時の全身入浴で湯あたりを起こす人などの対応として、全身入浴でなく気楽に足だけを入れる足湯が各温泉施設若しくは温泉利用による医療施設で簡単に出来るようになって来た。
【考案が解決しようとする課題】
【０００３】  このように温泉施設若しくは温泉利用による医療施設で簡単に足湯が出来るようになっているが、普通の足湯は湯を緩やかに流している溝に腰掛けたり或は立ったりして流れる湯に足を入れていた。  このため普通の温泉の浴場に比べると遥かに足湯容量が溝のため少なく而も足湯の頻度も比較的多い。
そのため湯が流れる上手で足湯する人は新しい湯に入ることが出来るが、下手で足湯する人は上手の人の足に付着していた汚れや雑菌時には土などが混合して汚れた湯に入らなければならず、折角足湯して気分爽快にと思っていても不潔感を持ってしまい足湯上非常に不都合を感じていた。
【課題を解決するための手段】
【０００４】  本考案はこのような不都合を解消し、常に気分爽快となるよう足湯することが出来る温泉施設若しくは温泉利用による医療施設に於ける足湯用ケースを提供せんとするものである。
防菌処理を行い匂付とし浸透性と濾過機能を有する素材にて楕円或は長方形又は長靴状で底部を有する筒状とたケース本体とすると共に、底部表面に滑り止めとしての凹凸を設けると共に、表面に凹凸を設けたシートとの組合せとしたものである。
尚、ケース本体自体に着色を又表面に図柄を施す用にしても良い。
又、ケース本体の形状は楕円或は長方形又は長靴状に限定せず、足が入る形状であればどんな形状でも良い。
【０００５】  使用に当ってはケース本体を持って足湯する場所に行き、足をケース本体内に入れて湯に沈めて足湯を行う。
この場合、ケース本体の幅か広ければ両足を入れて足湯するが、狭い場合には両足にそれぞれ別々のケース本体を用いて足湯する。
このようにして足湯すると、自分の足に付着している汚れや雑菌類はケース本体内に残ると共に、流れてくる湯に含まれる汚れや雑菌をケース本体外で止めて内部への侵入を防ぐため気持ち良く足湯することが出来る。
足湯が終るとケース本体或はシートを湯から取り出して湯を切り元との頃へ返し、返されたケース本体或はシートを加熱或は蒸気若しくは使い捨てシート等で殺菌処理をして乾燥させ再度使用する。
尚、ケース本体の底部が滑るようになると、シートを用いて敷きその上にケース本体を乗せて足湯する。
【考案の効果】
【０００６】  上述の如く本考案の請求項１に於いては、流れてくる湯に含まれる汚れや雑菌をケース本体外で止めて内部への侵入を防ぐと共に、自分の足に付着している汚れや雑菌類はケース本体内に残して流れる湯の汚染を防ぐため湯を綺麗に保たせ上手下手を問わず気持ち良く足湯することが出来る。
請求項１及び請求項２に於いては、滑らないようにし足湯時の安全管理を十分に行え安心して足湯することが出来る。
このように衛生的で安全確保も十分のため快適に足湯をすることが出来るなど多くの特長があり実用上非常に優れた考案である。
【考案を実施するための最良の形態】
【０００７】  防菌処理を行い匂付とし浸透性と濾過機能を有する素材にて楕円或は長方形又は長靴状で底部を有する筒状とたケース本体とすると共に、底部表面に滑り止めとしての凹凸を設けると共に、表面に凹凸を設けたシートとの組合せとしたものである。
【実施例１】
【０００８】  以下本考案の一実施例を図面について説明する。
図中１はケース本体であって、防菌処理を行い匂付とし浸透性と濾過機能を有する素材２として不織布を用いて楕円形で、表面に凹凸４を設けた底部３を有する筒状としたものである。
５はシートであって、凹凸を表面に設けている。【０００９】  使用に当っては、  ケース本体１を持って足湯する場所に行き幅が広いので片足をケース本体１内に入れて湯に沈め、ケース本体１内に湯が入ったのを確認してから両足をケース本体１内に入れて足湯を行う。
このようにして足湯すると、ケース本体１の底部３にて滑りを防ぎ安心して入れると共に、自分の足に付着している汚れや雑菌類はケース本体１内に残ると共に、流れてくる湯に含まれる汚れや雑菌をケース本体１外で止めて内部への侵入を防ぐため気持ち良く足湯することが出来る。
又、ケース本体１の底部３が滑るようになると、シート５を用いて敷きその上にケース本体１を乗せて足湯するば凹凸６によって滑りを防ぎ安心して足湯が出来る。
そして足湯が終るとケース本体１或はシート５を湯から取り出して湯を切り元との頃へ返し、返されたケース本体１或はシート５を加熱或は蒸気て等で殺菌処理をして乾燥させ再度使用する。
【産業上の利用可能性】
【００１０】  本考案は足湯をする温泉地に常設するか、或は地元で頻繁に利用する人は自分専用として所持して利用することが出来る。
【図面の簡単な説明】
【００１１】
【図１】実施例の一部を破断した斜視図
【図２】実施例の一部を省略したシートの斜視図
【図３】実施例の底部の部分断面拡大図
【図４】実施例のシートの部分断面拡大図
【符号の説明】
【００１２】  １    ケース本体
２    素材
３    底部
４    凹凸
５    シート
６    凹凸
【図１】
0003104070.tif 000003
【図２】
0003104070.tif 000004
【図３】
0003104070.tif 000005
【図４】
0003104070.tif 000006
(57)【要約】【課題】本来の機能の他に、宣伝広告機能を持たせたロール型トイレットペーパーを提供する。【解決手段】芯筒４を中心に渦巻状に巻いた帯状に長い無地または模様入りのペーパー１に、その全長にわたって、宣伝広告用の文字や図形を印刷した印刷部２を設け、本来の機能の他に、宣伝広告機能を持たせる。これにより、テレビや街頭の看板等と同様に、それを目にする人に対して宣伝広告機能を発揮させ、会社名の宣伝や、商品の売れ行きを促進させる。宣伝広告用の文字や図形には、商品名や商品の形状の他に、会社名、宗教法人名、国・地方公共団体名、特殊法人名、住所、電話番号、商標、ロゴマーク、動物や植物などの商品イメージキャラクター、キャッチフレーズ、スローガン、販売促進宣伝文句、会社方針等を含むものである。【選択図】      図１
0003104003.tif 000002
【実用新案登録請求の範囲】
【請求項１】
芯筒（４）を中心に渦巻状（３）に巻いた帯状に長い無地または模様入りのペーパー（１）に、その全長にわたって、宣伝広告用の文字や図形を印刷した印刷部（２）を設けてなることを特徴とする宣伝広告付きロール型トイレットペーパー。
【考案の詳細な説明】
【技術分野】
【０００１】
本考案は、広告宣伝用の文字や図形を印刷したロール型トイレットペーパーに関するものである。
【背景技術】
【０００２】
従来から、人々が日々使用するトイレットペーパーとして、白色などの無地ものや、動物や花柄などを印刷したものが多く使用されている。
【０００３】
一方、日常生活において、人々はテレビや街頭の看板等で多くの宣伝広告を目にする。これらテレビ等は多大な宣伝広告機能を発揮し、商品の売れ行きに大きく影響する。
【考案の開示】
【考案が解決しようとする課題】
【０００４】
本考案者は、日々使用するトイレットペーパーにも、人々が頻繁に目にするといった観点から、テレビや街頭の看板等と同様のはたらきがあると考える。
【０００５】
本考案者は、係る点に鑑み、トイレットペーパーに宣伝広告機能を持たせる手段を創案した。そこで、本考案は、本来の機能の他に、宣伝広告機能を持たせたトイレットペーパーを提供することを課題とする。
【課題を解決するための手段】
【０００６】
図１を参照して説明する。本考案に係る宣伝広告付きロール型トイレットペーパーは、芯筒４を中心に渦巻状３に巻いた帯状に長い無地または模様入りのペーパー１に、その全長にわたって、宣伝広告用の文字や図形を印刷した印刷部２を設けてなることを特徴とするものである。なお、図形には絵や写真を含む。
【考案の効果】
【０００７】
本考案に係る宣伝広告付きロール型トイレットペーパーは、無地または模様入りのペーパー１に、宣伝広告用の文字や図形を印刷した印刷部２を設けたので、本来の機能の他に、宣伝広告機能を持たせることができる。
【０００８】
従って、テレビや街頭の看板等と同様に、それを目にする人に対して宣伝広告機能を発揮することができ、例えば、会社名の宣伝や、商品の売れ行きを促進させることができる。
【考案を実施するための最良の形態】
【０００９】
本考案に係る宣伝広告付きロール型トイレットペーパーの実施形態を、図１に示す。これは、芯筒４を中心に渦巻状に巻いた帯状に長い無地のペーパー１の全長にわたって、宣伝広告用の文字（商品名）と図形（商標）を印刷した印刷部２を設けたものである。これにより、当該トイレットペーパーに宣伝広告機能を持たせることができ、当該商品の売れ行きを促進させることができる。
【００１０】
なお、宣伝広告用の文字や図形には、商品名や商品の形状の他に、会社名、宗教法人名、国・地方公共団体名、特殊法人名、住所、電話番号、商標、ロゴマーク、動物や植物などの商品イメージキャラクター、キャッチフレーズ、スローガン、販売促進宣伝文句、会社方針等を含む。
【図面の簡単な説明】
【００１１】
【図１】本考案の実施形態を示す斜視図である。
【符号の説明】
【００１２】
１    ペーパー
２    印刷部
３    渦巻状
４    芯筒
【図１】
0003104003.tif 000003
(57)【要約】【課題】背丈の高低に関係なく、ハンガ−から衣服等を容易に取り外すことができる開閉式ハンガ−の提供【解決手段】この考案の開閉式ハンガ−は、左のハンガ−片１の右端と右のハンガ−片１’の左端を軸２に回動可能に装着し、左のハンガ−片１に一端を固定したバネ３の他端を軸２を跨いで右のハンガ−片１’に当接させ、軸２にフック４を取付け、フック４にキャップ５を上下動可能に装着し、左のハンガ−片１の下端中間部ｃと右のハンガ−片１’の下端中間部ｃ’に紐６を張り、紐６の中央部に引き紐７を取り付けている。【選択図】図１
0003104001.tif 000002
【実用新案登録請求の範囲】
【請求項１】
左のハンガ−片（１）の右端と右のハンガ−片（１’）の左端を軸（２）に回動可能に装着し、前記左のハンガ−片（１）に一端（ａ）を固定したバネ（３）の他端（ｂ）を前記軸（２）を跨いで前記右のハンガ−片（１’）に当接させ、前記軸（２）にフック（４）を取付け、該フック（４）にキャップ（５）を上下動可能に装着し、前記左のハンガ−片（１）の下端中間部（ｃ）と該下端中間部（ｃ）と対称な位置の前記右のハンガ−片（１’）の下端中間部（ｃ’）に紐（６）を張り、該紐（６）の中央部に引き紐（７）を取り付けてなることを特徴とする開閉式ハンガ−
【考案の詳細な説明】
【技術分野】
【０００１】
本考案は開閉式ハンガ−に係り、詳しくは開閉式ハンガ−の構造に関するものである。
【背景技術】
【０００２】
従来のハンガ−は、固定式のものが殆どで、ハンガ−に掛けられた衣服等を取り外す場合には、ハンガ−が掛けられている高さまで立ち上がり、衣服等を取り外さなければならなかった。したがって、背丈が低く、ハンガ−が掛けられている高さまで、手先がとどかなければ、衣服等を取り外すことができないとう問題点があった。
【特許文献１】実用新案登録第３０２２６２８号公報
【考案の開示】
【考案が解決しようとする課題】
【０００３】
この考案は、背景技術で記述した問題点を解消するためになされたもので、背丈の高低に関係なく、ハンガ−から衣服等を容易に取り外すことができる開閉式ハンガ−の提供を目的とするものである。
【課題を解決するための手段】
【０００４】
この考案の開閉式ハンガ−は、左のハンガ−片の右端と右のハンガ−片の左端を軸に回動可能に装着し、前記左のハンガ−片に一端を固定したバネの他端を前記軸を跨いで前記右のハンガ−片に当接させ、前記軸にフックを取付け、該フックにキャップを上下動可能に装着し、前記左のハンガ−片の下端中間部と該下端中間部と対称な位置の前記右のハンガ−片の下端中間部に紐を張り、該紐の中央部に引き紐を取り付けてなることを特徴とするものである。
【考案の効果】
【０００５】
この考案は上述のように構成されているので、次のような効果を奏する。
（１）引き紐を引っ張ると、左右のハンガ−片が閉まり、ハンガ−に掛けられている衣服類を離脱させることができる。
（２）したがって、引き紐の長さを加減しておけば、背丈の高低には関係なく、衣服類を ハンガ−から取り外すことができる。
（３）フックを引っ張り、キャップを押し下げることによっても左右のハンガ−片を閉めることができる。
（４）引き紐を離すと、左右のハンガ−片はバネ力によって自動的に開き、元の状態に復帰させることができる。
【考案を実施するための最良の形態】
【０００６】
背丈の高低に関係なく、ハンガ−から衣服等を容易に取り外すことができる開閉式ハンガ−の提供という目的を、左右のハンガ−片をバネによって連結することにより実現できた。
【実施例】
【０００７】
この考案の実施の形態の一例を図面を参照しながら説明するに、図１〜図２に示すように、左のハンガ−片１の右端と右のハンガ−片１’の左端を軸２に回動可能に装着している。
【０００８】
左のハンガ−片１に一端ａを固定したバネ３の他端ｂを軸２を跨いで右のハンガ−片１’に当接させフリ−な状態にしている。なお、当然のことながら、バネ３の他端ｂを固定し、一端ａをフリ−な状態にしておいてもよい。
【０００９】
したがって、左右のハンガ−片１，１’を閉めると、バネ３の他端ｂは移動し、閉める力を解除すると、バネ３の他端ｂは元の位置へ戻り、バネ力によって、左右のハンガ−片１，１’を自動的にもとの姿勢に復帰させる。
【００１０】
軸２にフック４を取付け、フック４にキャップ５を上下動可能に装着している。なお、図１〜図２において、ｄはフック４に固定しているストッパ−、ｅはキャップ５に固定しているストッパ−で、左右のハンガ−片１，１’が、図１に示すように、開いた状態においては、キャップ５の上方への移動は、フック４のストッパ−ｄによって拘束され、これによって、左右のハンガ−片１，１’の回動が拘束される。
【００１１】
図２に示すように、左右のハンガ−片１，１’が閉まったときには、キャップ５は、その上縁部ｆがフック４のストッパ−ｄに当接するまで下方へ移動する。
【００１２】
逆にフック４をキャップ５の上縁部ｆまで上方へ引っ張り上げるか、またはキャップ５の上縁部ｆをフック４のストッパ−ｄに当接するまで押し下げても、左右のハンガ−片１，１’を閉めることができる。
【００１３】
左のハンガ−片１の下端中間部ｃと下端中間部ｃと対称な位置の右のハンガ−片１’の下端中間部ｃ’に紐６を張り、紐６の中央部に引き紐７を取り付けている。
【００１４】
したがって、引き紐７を下方へ引っ張ると、図２に示すように、左右のハンガ−片１，１’が閉まるようになっているので、引き紐７の長さを加減することによって、背丈に関係なく、ハンガ−に掛かっている衣類等をハンガ−から離脱させることができる。
【産業上の利用可能性】
【００１５】
ハンガ−に掛けられている衣服類を、背丈の高低に関係なく、取り外すことが可能なハンガ−として利用できる。
【図面の簡単な説明】
【００１６】
【図１】本考案の一実施例を示す一部切欠側面図
【図２】図１において、左右のハンガ−片を閉めた状態を示す一部切欠側面図
【符号の説明】
【００１７】
１ 左のハンガ−片
１’右のハンガ−片
３ バネ
４ フック
５ キャップ
６ 紐
７ 引き紐
ａ バネの一端
ｂ バネの他端
ｃ 左のハンガ−片の下端中間部
ｃ’右のハンガ−片の下端中間部
ｄ フックのストッパ−
ｅ キャップのストッパ−
ｆ キャップの上縁部
【図１】
0003104001.tif 000003
【図２】
0003104001.tif 000004
(57)【要約】【課題】従来の塔婆１位牌２は手書きの文字が主流でカラー映像で遺影を表現したものはなく、作業性、生産性にも問題があり、野立て塔婆の場合は変色したり酸化するなど、耐候性も悪く、意匠についても利用者の十分な需要を満たすものでなかった。【解決手段】パソコンにインプットした好みの文字及び映像データーを、専用印刷機を用い目的の素材３．４に複数の異なるデーターを同時に顔料印刷でき、多くの需要に対応できることを可能とするペット専用のオリジナル塔婆５又は位牌６を作製する。【選択図】図２
0003104027.tif 000002
【実用新案登録請求の範囲】
【請求項１】
通常の木製塔婆素材３に専用印刷機で文字及びペットの遺影映像５を顔料性インキを用い印刷表現した映像入りペット専用塔婆５及び任意の意匠及び個々に異なるサイズの素材４で形成された位牌に顔料インキを用い専用印刷機で好みの文字及びペットの遺影映像を印刷表現した映像入りペット専用位牌６
【考案の詳細な説明】
【技術分野】
【０００１】  本考案は従来の文字のみの塔婆及び位牌に対し生前のペットの遺影を付加した事を特徴とするペット専用塔婆及びペット専用位牌に関する。
【背景技術】
【０００２】  従来の塔婆、位牌は手書きの文字が主流でカラー映像で遺影を表現したものはなく、野立ての塔婆は変色したり酸化するなど、耐候性の悪いものであった。
【考案の開示】
【考案が解決しようとする課題】
【０００３】従来ペット用の塔婆及び位牌（図１）はあったが文字のみが主流であり、多くのペット愛好家の求める遺影の映像を具備した塔婆５や位牌６は無く十分な需要と意匠を満たすものではなかった。
また、従来の技術は僧侶の手書きが主流で多種の表現が困難であり作業性にも課題があった。
専用印刷機による印刷絵文字もあったが染料インクが主流で多色写真映像を表現した場合耐候性、耐久性に課題があった。
【課題を解決するための手段】
【０００４】本考案は上記の課題を解決するため、平板専用の印刷機を具備し、希望する映像及び書体５．６のデーターをパソコンで作成する。
次に作成したデーターを専用印刷機で目的の素材３．４に出力する。
この場合複数の異なるデーターを同時に複数の素材に出力できるようにし、作業性の向上、円滑需要に対応できる様にする。
また、耐候性、耐久性を強化する為、顔料インキを用いて多色印刷する。
【考案の効果】
【０００５】１．好みの遺影を施した独自の意匠でペット愛好家の要望に応えられる。
２．多くの需要に対する円滑な供給が可能となった。
３．印刷面に於いては、通常の染料インキを使用した印刷と異なり顔料インキを使用した場合、耐候性に優れ通常の塗装と同様の耐久性を保つ。
４，従来僧侶の手書き作業による施工と比較してデーターの入れ替え作業のみで製作が可能なため作業性が向上し、任意な意匠も可能となった。
５．専用印刷機に複数の異なるデーターを入力した場合においても入力した個々に異なるデーターの設定数を同時に出力できることで量産が可能になった。
【考案を実施するための最良の形態】
【０００６】カラー映像に対応する顔料インキが使用でき、複数の異なるデーターを同時に印刷可能な専用カラー印刷機と専用文字及び任意の映像データーを作製し出力するためのパソコンを具備し、希望する複数の異なる文字及び映像を目的素材に短時間で印刷可能な遺影入りペット専用の塔婆及び位牌を作製する。
【実施例】
【０００７】動物霊園、ペットショップ、一般霊園向けの製作品及びシステムデーターの供給
【産業上の利用可能性】
【０００８】本考案は多くの需要に対応するよう、複数の異なる注文を短時間で作製可能にすることができ、依頼者の希望する意匠、映像入りの塔婆、位牌が安価で早期に供給できることを特徴とするため、動物霊園、ペットショップなどの利用が可能となる。
【図面の簡単な説明】
【図１】従来の塔婆及び位牌
【図２】素材及び完成図
【符号の説明】
１．従来の塔婆
２．従来の位牌
３．塔婆の素材
４．位牌の素材
５．塔婆の完成図
６．位牌の完成図
【図１】
0003104027.tif 000003
【図２】
0003104027.tif 000004
(57)【要約】【課題】鍵穴周辺にピックを突き刺して孔をあける手法のピッキングによる被害を効果的に防止可能なピッキング防止具を提供する。【解決手段】本体２がリング状の板から成り、その中央に孔３を有している。孔３は、営業用乗用車のドア表面Ａの錠部材Ｂに近接して錠部材Ｂを包囲可能な大きさから成っている。本体２は、営業用乗用車のドア表面Ａに貼付け可能な粘着剤４が裏面に付着してある。粘着剤４の上には、粘着剤保護用の剥離シート５が貼り付けられている。本体２の裏面から剥離シート５を剥がし、本体２の孔３の内側にドア表面Ａの錠部材Ｂを配置して錠部材Ｂを包囲し、本体２の裏面の粘着剤４で本体２をドア表面Ａに貼り付けて使用する。【選択図】図１
0003104025.tif 000002
【実用新案登録請求の範囲】
【請求項１】
ドア表面の錠部材に近接して錠部材を包囲可能な孔を本体に有し、ドア表面に貼付け可能な粘着剤が裏面に付着され、前記粘着剤の上に粘着剤保護用の剥離シートが貼り付けられていることを特徴とするピッキング防止具。
【考案の詳細な説明】
【技術分野】
【０００１】
本考案は、家屋や乗用車のドアの錠をピッキングから守るためのピッキング防止具に関する。
【背景技術】
【０００２】
従来のピッキング防止具として、鍵穴上にシールを装着し、鍵穴と結合する部分に進入妨害口を装着したものがある（特許文献１参照）。
【０００３】
【特許文献１】特開２００２−２４２４９６号公報
【考案の開示】
【考案が解決しようとする課題】
【０００４】
ところで、近年、ピッキングによって、乗用車や住居に侵入され、盗難に遭う被害が増加している。ピッキングとは、鍵穴や鍵穴周辺にピックと呼ばれる細長い器具を差し込んだり突き刺したりして開錠する不法な手段である。特に、営業用乗用車では、鍵穴周辺にピックを突き刺して孔をあける手法のピッキングによる車上荒らしが目立って増加している。この手法の場合、日中でも乗用車から１０分程度、離れた隙に被害に遭うこともしばしばである。
特許文献１に記載のピッキング防止具では、鍵穴にピックを差し込む手法のピッキングには効果があっても、鍵穴周辺にピックを突き刺して孔をあける手法には全く対応できないという課題があった。
【０００５】
本考案は、このような従来の課題に着目してなされたもので、鍵穴周辺にピックを突き刺して孔をあける手法のピッキングによる被害を効果的に防止することができるピッキング防止具を提供することを目的とする。
【課題を解決するための手段】
【０００６】
上記目的を達成するために、本考案に係るピッキング防止具は、ドア表面の錠部材に近接して錠部材を包囲可能な孔を本体に有し、ドア表面に貼付け可能な粘着剤が前記本体の裏面に付着され、前記粘着剤の上に粘着剤保護用の剥離シートが貼り付けられていることを特徴とする。
【０００７】
本考案に係るピッキング防止具は、本体の裏面から剥離シートを剥がし、本体の孔の内側にドア表面の錠部材を配置して錠部材を包囲し、本体の裏面の粘着剤で本体をドア表面に貼り付けて使用する。
【０００８】
本考案に係るピッキング防止具は、鍵穴周辺のドア表面にピックを突き刺して孔をあけようとしたとき、錠部材に近接して錠部材を包囲することにより、ピックを突き刺しにくくし、そのようなピッキングによる被害を効果的に防止することができる。本考案に係るピッキング防止具の本体は、鋼鉄等の金属、セラミック、プラスチック、強化フィルム、その他のピックを突き刺しにくい材質から成る。さらに、本体は、貼付け箇所の凹凸を吸収可能な弾力性を有していることが好ましい。本体は、リング状の板から成ることが好ましい。錠部材の周囲のドア表面に溝が形成されている場合には、本体にその溝を埋める突条が設けられていることが好ましい。
【考案の効果】
【０００９】
本考案によれば、鍵穴周辺にピックを突き刺して孔をあける手法のピッキングによる被害を効果的に防止可能なピッキング防止具を提供することができる。
【考案を実施するための最良の形態】
【００１０】
以下、図面に基づき本考案の実施の形態について説明する。
図１（Ａ）、（Ｂ）、（Ｃ）に示すように、本考案の実施の形態のピッキング防止具１は、本体２がリング状の板から成り、その中央に孔３を有している。孔３は、営業用乗用車のドア表面Ａの錠部材Ｂに近接して錠部材Ｂを包囲可能な大きさから成っている。本体２は、営業用乗用車のドア表面Ａに貼付け可能な粘着剤４が裏面に付着してある。粘着剤４の上には、粘着剤保護用の剥離シート５が貼り付けられている。
【００１１】
次に、作用について説明する。
本体２の裏面から剥離シート５を剥がし、本体２の孔３の内側にドア表面Ａの錠部材Ｂを配置して錠部材Ｂを包囲し、本体２の裏面の粘着剤４で本体２をドア表面Ａに貼り付けて使用する。ピッキング防止具１は、鍵穴周辺のドア表面Ａにピックを突き刺して孔をあけようとしたとき、錠部材Ｂに近接して錠部材Ｂを包囲することにより、ピックを突き刺しにくくし、そのようなピッキングによる被害を効果的に防止することができる。なお、この場合、ピッキング防止具１の本体２の強度が、ピックにより無理やり力を加えれば孔をあけることができる程度の強度の場合でも、ピッキングによる開錠に手間取ることになるため、犯罪抑止効果を上げることができる。
【図面の簡単な説明】
【００１２】
【図１】本考案の実施の形態のピッキング防止具の（Ａ）使用状態を示す正面図、（Ｂ）裏面を示す背面図、（Ｃ）使用状態を示す断面図である。
【符号の説明】
【００１３】
１    ピッキング防止具
２    本体
３    孔
４    粘着剤
５    剥離シート
【図１】
0003104025.tif 000003
(57)【要約】      （修正有）【課題】ビルの清掃の際に使用する洗滌液や機械加工の際の切削液等の処理液のろ過分離装置に関するものでコンパクトに成形されていて場所をとることなく、その場所で使用できる。【解決手段】円筒形のドラムＡ内にロール状のフィルターＦを設け上方から使用済みの処理液を圧入してフィルターを通して循環ろ過する処理液のろ過分離装置であって、ロール状のろ紙の上面の蓋７及び底面の受板１に爪２を設けることにより、処理液の流入による溢流を防止して完全にゴミやクズ等の分離除去を図る。【選択図】図１
0003104028.tif 000002
【実用新案登録請求の範囲】
【請求項１】
円筒形のドラムＡ内にロール状に巻回したフィルター紙Ｆを配し、上方から使用済みの処理液を圧入してフィルターを通して循環ろ過する処理液ろ過装置において、ロール状ろ紙の上面に周囲に立爪（６）を設けた押圧蓋（５）を下向きに設けると共にロール状ろ紙の底面に周囲に立爪（２）を設け、全面に液通し孔（３）を設けた底板（１）を配置し、溜めタンクからの使用済み液をポンプＰならびにモーターＭにより循環供給する処理液ろ過分離装置。
【考案の詳細な説明】
【技術分野】
【０００１】  本考案はビルの清掃の際に使用する洗滌液や機械加工の際の研削液等の処理液のろ過分離装置に関する。
【背景技術】
【０００２】  ビルの清掃においては、床面に洗滌液を流して床を磨きながら液を吸引して持ち帰り、その後工場でろ過し、ゴミや汚れを分離して洗滌液を回収して再利用するのが普通であり、又旋盤などの切削加工の場合には、切削屑と切削油の混合液を一旦工場内で集めてその後切削屑と切削油とを分離して切削油を再利用している。
【特許文献１】  実用新案登録第３０８６７８６号公報
【考案の開示】
【考案が解決しようとする課題】
【０００３】  しかし、ろ紙や漉し網等を使用する従来のろ過分離装置では処理液が大量で装置も大型となり場所をとり、移動を含めて作業時間も長くなるという欠点があった。このため考案者は先にロール型のろ紙を開発してコンパクトなろ過装置を開発した。【０００４】  しかし、このロール型のろ紙を使用したろ過装置は、多量に処理液が流れた場合にロール紙の外側に溢れてしまい、ゴミやクズ等の汚れがそのまま下方に流れてろ過分離ができないという問題を残している。
【課題を解決するための手段】
【０００５】  考案者はこのような点に鑑み種々試作検討を重ねた結果、本考案に到達したものであって、本考案はロール型のろ紙の上下の押え蓋の周縁に立上り爪を形成することによってこの立上り爪が堰板の役目をしてろ紙の上面から溢流してくる液の滴下を止め、液から出るゴミやクズの排出を阻止することに成功した。このため装置が小型化され、現場ですぐに処理作業が終了できる。
【考案の効果】
【０００６】  上述のように本考案は、ビル清掃の場合はその作業階で移動することなく、又金属加工の場合は、加工機の脇での処理作業を行うものであって、処理液の再利用に適し、装置が小型であるため場所をとることなく現場で簡単に作業ができる。したがって従来のろ過分離装置に比較してきわめて便利に利用できるという卓越した作用効果を奏する。
【考案を実施するための最良の形態】
【０００７】  添付図面により本考案の実施するための形態を説明すると、図１は本考案の処理液ろ過分離装置の全体を示す実施例図であり、図２はロール型ろ紙Ｆの下面に設けた底板（１）の詳細図である。また図３は図２に示す底板（１）の断面図を示していて小型であって作業現場その場所で処理作業ができる。
【実施例】
【０００８】  図においてＡはろ過分離器であって、円筒型のドラムであり、このドラムの中にロール型のろ紙Ｆが設けられていて、このろ紙Ｆは上方から押蓋（５）により押圧され、またこのろ紙（１）の下端は底板（１）に載置され上下から挟持されている。【０００９】  使用済みの処理液は図示していないが溜タンクよりモーターＭによって作動するポンプＰを介して送液管（９）によってろ過分離器Ａの上方から圧入され、ろ紙Ｆによりろ過されて再び送液管（１０）により溜タンクに戻されて処理液として使用される。【００１０】  このろ紙Ｆは紙管Ｆ−１を芯としてロール状に捲回形成されていて、処理液は、このろ紙Ｆによって漉されて下方に排出されて図中の矢印のように作業現場に戻される。【００１１】  本考案のろ過分離装置Ａの使用においては、処理液の温度が高い程、ろ紙Ｆの漉し率がよく、このため作業中平行して作業に移ることをすすめるが、本装置においてはろ紙Ｆの上面の蓋板（５）および底板（１）に立上り爪（２），（６）を設けることによって液がろ紙Ｆの外側から落下流出することが防止できて液の寿命を保ち、機器自体の清潔も保てる。図中の符号（３）は底板（１）に設けた処理液の通し用の小孔である。【００１２】  また本考案のろ過分離装置Ａに使用するロール状のろ紙Ｆは高さが約１５ｃｍ位のロール型のため装置全体がコンパクトに成形できる。作業現場の近くに置けて場所を取ることなく単にろ紙を交換するだけで便利に素早く使用できる。
【産業上の利用可能性】
【００１３】  本考案はビル清掃の洗滌液や旋盤加工の際の研削液等処理液或はクリーニング店での廃液の回収および再生をこの場所で行えるろ過分離装置であり、小型化されているため各種業界において広く利用できる。
【図面の簡単な説明】
【００１４】
【図１】  全体の構成を示す側面図
【図２】  底板の平面図
【図３】  底板の断面図
【符号の説明】
【００１５】  （１）…底板
（２）…底板の立上り爪
（３）…処理液の通し孔
（４）…下方フィルター支え
（５）…上方フィルター受け
（６）…上方の立上り爪
（７）…蓋
（８）…把手
Ａ…ろ過ドラム
Ｆ…フィルター
Ｆ−１…フィルター芯
Ｍ…モーター
Ｐ…ポンプ
【図１】
0003104028.tif 000003
【図２】
0003104028.tif 000004
【図３】
0003104028.tif 000005
(57)【要約】      （修正有）【課題】田畑の果樹、野菜の他農作物を害鳥の被害から守り、住宅地の洗濯物、干した布団、マイカーなどに糞害をあたえ軒先に巣作りをするなどの被害を糸で吊るして置くだけで、手軽に長期間従属的に効果を発揮して、害鳥からの被害が守れる害鳥威嚇機。【解決手段】本考案の、害鳥威嚇機は合成樹脂材で回転しやすい三角形に形成した台座１に、落としても割れない柔軟性のあるアクリミラー３を回転翼２に組み込み、弱い風でも回転をするように風受け板を回転翼の下に一体化形成して回転翼を三方向に備え、光の反射角度は上空方向を照らすように設定し、強い糸で吊るして使用する事により、アクリミラーを備えた害鳥威嚇機が回転して、太陽の光を広範囲に乱反射して空高く飛ぶ鳥をも威嚇して、田畑の農作物の被害や住宅地での洗濯物、干した布団、マイカーなどに糞害をもたらす害鳥からの被害を守る害鳥威嚇機。【選択図】図２
0003104030.tif 000002
【実用新案登録請求の範囲】
【請求項１】
本考案の、害鳥威嚇機は農作物の被害や、住宅地での洗濯物、マイカーなどに糞害をもたらす害鳥からの、被害を守る事を目的としたもの、太陽の光を鏡で乱反射させる事により、害鳥に脅威を与え追い払うもの、二年余り試作品を吊るして実験をした結果、住宅地での糞害や軒先での巣作り被害が解消され、農作物の果樹、種まき後の発芽野菜の新芽の被害が解消された事から、害鳥威嚇機を考案したもの、合成樹脂財で形成した三角形の台座に、三方向に反射鏡を備えた回転翼を取り付ける事により、弱い風でも回転をする工夫を成し広範囲に太陽の光を乱反射させて、害鳥に警戒感を与えるもの反射鏡の材質は、落としても割れないアクリミラーを使用して、光の角度は上空方向を照らすように設定し、空高く飛ぶ鳥をも威嚇して農作物の被害や、住宅地での洗濯物、マイカーなどに糞害をもたらす害鳥からの被害を守る害鳥威嚇機。
【考案の詳細な説明】
【技術分野】
【０００１】本考案は、鳥獣威嚇機に関する。
【背景技術】
【０００２】果樹、野菜、など害鳥からの被害防御方法として、簡単な方策として糸、テープを張り廻らせる、案山子を立てる事が一般的で、住宅地の洗濯物、マイカーなどの糞害防御に色々な風船形式な物が知られるが長期間使用すると効果が薄れて有効な方法がなかった。
【考案の開示】
【考案が解決しようとする課題】
【０００３】果樹、野菜を害烏の被害から守り、住宅地の洗濯物や、マイカーに対しての糞害を守る事を、手軽で長期間従属的に効果を発揮する事が出来る害鳥威嚇機。
【課題を解決するための手段】
【０００４】樹脂材で三角形の台座を形成して、太陽の光を乱反射させるべく反射鏡を備えた回転翼を三方向に取り付け、弱い風でも回転をする様に風受け板を回転翼の下に設けて、害鳥威嚇機を風の力で回して太陽の光を乱反射させ、広範囲の害鳥を威嚇して追い払うもので反射鏡の材質は、柔軟性が有り、落としても割れないアクリミラーを使用し、軽量化と安全性を確保した害鳥威嚇機。
【考案の効果】
【０００５】強力な太陽光が乱反射するため、害鳥の感じる危機感が従属して続く効果が有り、農作物の果樹、種まき後の発芽野菜の新芽の被害が解消され、住宅地での洗濯物やマイカーに糞害を与える被害、家の軒先に巣を作る被害が解消される害鳥威嚇機。
【考案を実施するための最良の形態】
【０００６】広範囲の害鳥を威嚇して追い払うもので図は、本考案実施の一例を示すもので（１）は台座を示し、風を受けて回転をしやすい三角形に形成したもの（２）は回転翼を示す、反射鏡を埋め込む溝を形成したもの（３）は反射鏡を示し、柔軟性があり落としても割れないアクリミラーを使用して、長方形の反射鏡にした為、太陽光の反射の光りが広範囲に行き届き害鳥を威嚇する反射鏡（４）は三角形の中心に有り害鳥威嚇機を使用するときに、糸で吊るす時の鍵棒を示す（５）は風を受ける風受け板を示す、反射鏡を備えた回転翼をより回転させ太陽光を乱反射させる為の役目と、回転翼を固定させるための補助鍵を兼ねた風受け板（６）は回転翼を固定させるプラグを示し、プラグと風受け板を連結させプラグの横ずれを防ぐ（７）はプラグの入る鍵穴を示す、溝に補助鍵を兼ねた風受け板が入る（８）は害鳥威嚇機を使用するときに吊るす糸を示す。
【図面の簡単な説明】
【０００７】
【図１】  本考案の害鳥威嚇機正面図。
【図２】  本考案の害鳥威嚇機使用図。
【図３】  本考案の害鳥威嚇機回転翼断面図。
【図４】  本考案の害鳥威嚇機台座斜視図。
【図５】  本考案の害鳥威嚇機風受け板断面図。
【符号の説明】
【０００８】      （１）  害鳥威嚇機台座
（２）  回転翼
（３）  反射鏡
（４）  害鳥威嚇機吊るし鍵棒
（５）  風受け板
（６）  回転翼固定プラグ
（７）  回転翼固定プラグ鍵穴
（８）  害鳥威嚇機吊るし糸
【図１】
0003104030.tif 000003
【図２】
0003104030.tif 000004
【図３】
0003104030.tif 000005
【図４】
0003104030.tif 000006
【図５】
0003104030.tif 000007
(57)【要約】【課題】  便器の外側壁を伝って流下する尿を吸い取ることにより、便器と床面との境界部の汚れを防止できるようにした便器用ナプキンを提供する。【解決手段】  本考案による便器用ナプキン１は、裏面側に吸水シート２を設け、該吸水シート２の上端面２ａを開放させて表面側を防水フィルム３で被覆し、裏面側の一部に粘着剤を塗布（３ｂ）して便器５の壁面６に貼着可能とする。粘着剤の塗布面３ｂに剥離紙４を貼着したものとすることができる。【選択図】  図１
0003104016.tif 000002
【実用新案登録請求の範囲】
【請求項１】
裏面側に吸水シートを設け、該吸水シートの上端面を開放させて表面側を防水フィルムで被覆し、裏面側の一部に粘着剤を塗布して便器の壁面に貼付け可能としたことを特徴とする便器用ナプキン。
【請求項２】
粘着剤の塗布面に剥離紙を貼付けた請求項１に記載の便器用ナプキン。
【考案の詳細な説明】
【技術分野】
【０００１】
本考案は、トイレの便器及び床の汚れ、特に便器と床面との境界部の汚れを防止するための便器用ナプキンに関する。
【背景技術】
【０００２】
従来一般に使われているトイレマットに代えて、トイレの床面又は足元マット上に置いて用いるペーパーシートが知られている（特許文献１参照）。このペーパーシートは、表面側に水分吸収剤を入れ、裏面側を防水性としたもので、使い捨て可能としたものである。かかるペーパーシートによれば、表面側の水分吸収剤により便座の周りに垂れた尿を吸い取り、裏面側を防水性として床面の汚れを防止することができる。
【特許文献１】実用新案登録第３０３２２１０号公報
【０００３】
しかしながら、かかるペーパーシートでは、便器の外壁面を伝って流下する尿を吸い取ることはできない。このため、便器と床面との境界部の汚れを防止することができない。便器の上部に付いた汚れは見えるのでペーパーで拭き取ることができるが、便器の縁に付いた汚れは見えにくく、外壁面を伝って流下し、便器と床面との境界部を汚す。
【考案の開示】
【考案が解決しようとする課題】
【０００４】
そこで本考案は、便器の外壁を伝って流下する尿を吸い取ることにより、便器と床面との境界部の汚れを防止できるようにした便器用ナプキンを提供することを目的とする。
【課題を解決するための手段】
【０００５】
上記課題を解決するために、本考案による便器用ナプキンは、裏面側に吸水シートを設け、該吸水シートの上端面を開放させて表面側を防水フィルムで被覆し、裏面側の一部に粘着剤を塗布して便器の壁面に貼付け可能としたこと、を特徴としている。
ここで、粘着剤の塗布面に剥離紙を貼付けたものとすることができる。
【考案の効果】
【０００６】
請求項１に係る考案によれば、裏面側に吸水シートを設け、該吸水シートの上端面を開放させて表面側を防水フィルムで被覆し、裏面側の一部に粘着剤を塗布して便器の壁面に貼付け可能としたので、使用時、便器の外側壁面を伝って流下する尿を吸水シートにより吸い取り、便器と床面との境界部の汚れを防止することができる。
また、請求項２に係る考案によれば、粘着剤の塗布面に剥離紙を貼付けたので、使用前は剥離紙が塗布面を保護し、使用の際に剥離紙を剥がして便器の外側壁面に容易に貼付けることができる。
【考案を実施するための最良の形態】
【０００７】
以下本考案を実施するための最良の形態を図面に基づいて説明する。図１は本考案の実施例による便器用ナプキンの斜視図、図２はその使用状態を示す斜視図である。
【０００８】
実施例による便器用ナプキン１は、裏面側に設けられる平面視横長方形状の吸水シート２とこの吸水シート２の表面側を被覆する防水フィルム３とからなり、両者（２，３）は接着されて一体化してある。防水フィルム３は左右両端側が吸水シート２より左右に延長されており、この延長部３ａ，３ａの裏面側に粘着剤を塗布（３ｂ）してある。そして、吸水シート２の上端面２ａは防水フィルム３で被覆することなく開放させて、上方から流下してくる尿を吸水シート２で吸い取ることができるようにしてある。
【０００９】
吸水シート２は、水を吸収し保持する能力を有するもので、２枚の吸水紙の間に高吸水性ポリマー粉末をはさみ込みシート状に形成したもの、２枚の吸水紙の間に高吸水性ポリマー粉末とパルプを混在させてはさみ込みシート状に形成したものなど、いずれでもよい。その寸法は、例えば、吸水シート２の横幅（左右幅）が２０ｃｍ、縦幅（上下幅）が５ｃｍ、厚さが１〜３ｍｍ程度である。なお、ここに示した寸法は一例であって、適宜変更可能である。
【００１０】
防水フィルム３裏面側の粘着剤塗布面３ｂには、剥離紙４を貼っておく。使用の際、この剥離紙４を剥がし、粘着剤の塗布部３ｂを便器５の外側壁面６に貼り付けて使用する。本実施例による便器用ナプキン１は、便器５の正面側外側壁６の目立たない所に横長方向に貼り付けて用いる。便器５の外側壁面６は、一般に下方側が後退しているので、便器５の正面側外側壁６の上下方向中間部に横長に貼り付けて用いれば、目立ち難い。
【００１１】
便器５の外側壁６を伝って流下する尿はナプキン１の吸水シート２により吸い取られ、ナプキン１より下方に流下しない。従って、便器５と床面７との境界部８の汚れを防止することができ、トイレの掃除の回数が減り、また掃除が楽になる。ナプキン１が汚れれば剥がして使い捨てとすればよい。
【００１２】
上述では、粘着剤を防水フィルム３の左右延長部３ａ，３ａの裏面側に塗布した場合を述べたが、防水フィルム３を吸水シート２と略同一形状に形成し、粘着剤を吸水シート２の裏面側の一部に塗布して、便器５の外側壁面６に貼付けできるようにしてもよい。
表面側の防水フィルム３を便器５とマッチする色彩とすれば、違和感もない。本ナプキン１は、図示した洋式便器５に限らず、和式便器、男性用小便器にも使用可能である。
【図面の簡単な説明】
【００１３】
【図１】本考案の実施例による便器用ナプキンの斜視図。
【図２】便器用ナプキンの使用状態を示す斜視図。
【符号の説明】
【００１４】
１  便器用ナプキン
２  吸水シート
２ａ  吸水シートの上端面
３  防水フィルム
３ａ  延長部
３ｂ  粘着剤塗布面
４  剥離紙
５  便器
６  外側壁面
７  床面
８  境界部
【図１】
0003104016.tif 000003
【図２】
0003104016.tif 000004
(57)【要約】【課題】      一輪挿しのスタンド（花瓶）は、胴部を大きくして安定を保つようにしてあるので、大径化し、卓上に置くと邪魔になって、ともすれば使用されず、また注入してある水の残量がわかりにくいため草花がかれるなどの問題があった。【解決手段】  ２枚１組の起立板状体１と、この板状体間に配置する有底状の筒体２とからなり、上記筒体に上記両板状体を適宜の固定手段３により固定して草花用のスタンドＡを形成し、使用に際し両起立板によってスタンドの安定した起立を維持する。【選択図】    図１
0003104717.tif 000002
【実用新案登録請求の範囲】
【請求項１】
２枚１組の起立板状体と、この板状体間に配置する有底状の筒体とからなり、上記筒体に上記両板状体を適宜の固定手段により固定したことを特徴とするスタンド。
【請求項２】
前記板状体及び筒体が、透明であることを特徴とする請求項１に記載のスタンド。
【考案の詳細な説明】
【技術分野】
【０００１】
この考案は、例えば一輪挿しとして用いるスタンドに関するものである。
【背景技術】
【０００２】
一輪挿しは、周知のようにガラス製や陶器製が主流で、上記以外に竹製などもある。
【考案の開示】
【考案が解決しようとする課題】
【０００３】
ところで、安定性を損なわない目的で胴部（直径）を大きくするので、一輪挿しであっても大型化する問題があった。
【０００４】
また、大型化にともない卓上に置くと邪魔になって使用されない問題も発生した。
【０００５】
さらに、不透明な材料で形成すると、水の残量を見極めることができず、水の量が少なくなると草花が枯れることもある。
【０００６】
そこで、この考案は、極めて小型化をはかると共に、小型化しても卓上で倒れない安定を保障し、また、水の残量を一目でわかるようにしたスタンドを提供することにある。
【課題を解決するための手段】
【０００７】
上記のような課題を解決するために、この考案は、２枚１組の起立板状体と、この板状体間に配置する有底状の筒体とからなり、上記筒体に上記両板状体を適宜の固定手段により固定した構成を採用する。
【０００８】
すると、一輪挿しの筒体の起立維持を、筒体を挟んで起立する両板状体により安定させて行なう。
【０００９】
また、前記板状体及び筒体が、透明である構成を採用する。
【００１０】
すると、筒体内の水の量を、透明な板状体及び透明な筒体によって一目でわかる。
【考案の効果】
【００１１】
以上のように、この考案のスタンドによれば、筒体に取付けてある対の板状体により筒体の安定した起立状態をはかることができるので、一輪挿しの筒状体の胴部（直径）や丈を小さくしても倒れることがない。
【００１２】
このため、スタンドの極めて小型化をはかることができると共に、卓上に置いても邪魔にならない効果がある。
【００１３】
また、透明な板状体や筒体を使用するので、水の量を一目で知ることができて、草花が枯れるのを防止する。
【考案を実施するための最良の形態】
【００１４】
この考案の実施形態を添付図面に基づいて説明する。
【００１５】
この考案の実施形態に示すスタンドＡは、図１、図２に示すように、２枚１組の起立板状体１、１と、この板状体１、１間に配置する有底状の草花ａ挿入用の筒体２とからなり、筒体２に両板状体１、１を固定手段３により固定する。
【００１６】
上記両板状体１、１の下縁は、卓上にスタンドＡを置いたとき、安定した起立を保障するように同レベルに揃えてあり、筒体２は、板状体１の丈よりも丈が低くて、板状体１の下縁よりも上方に筒体２の底を位置させてあるが、板状体１の下縁と筒体２の底を同レベルにしてもよい。
【００１７】
そして、筒体２の上端を板状体１、１の上縁に対し低くなるようにしたが、限定されず、例えば同レベルにしもてよい。
【００１８】
また、板状体１、１及び筒体２を透明な材質で形成して、筒体２内の水の残量を板状体１、１から一目でわかるように透視することができるようにしておく。
【００１９】
すると、水の残量を容易に知ることができて、水不足による草花が枯れるのを未然に防止することができる。
【００２０】
上記の透明な材質（板ガラス１、１及び筒体２の）としては、ガラス板と有底状の筒状ガラス製以外に、合成樹脂製であってもよい。
【００２１】
そして、上述の固定手段３としては、ガラス製の板状体１、１とガラス製の筒体２を用いる関係上、接着材（剤）を使用したが、その他の手段、例えば熱融（溶）着などを採用して固着することもできる。
【００２２】
なお、水の残量の透視を必要としない場合は、金属製の板状体１や筒体２を使用することもできる。
【００２３】
そして、板状体１、１も美観上各種形状のものを使用することもできる。
【図面の簡単な説明】
【００２４】
【図１】この考案のスタンドを示す斜視図
【図２】同縦断側面図
【符号の説明】
【００２５】
Ａ      スタンド
１      板状体
２      筒体
３      固着手段
【図１】
0003104717.tif 000003
【図２】
0003104717.tif 000004